(57)【要約】【課題】必要なときに、必要な位置に、必要な照度を確保することのできる照明装置を備えたシステムキッチン。【解決手段】本発明のシステムキッチン（１）は、カウンター（８）の後方の壁面（９）に設けられ、光源部が壁面に近接した消灯状態と、光源部が壁面から前方へ突出した点灯状態との間で切り換え可能なポップアップ型の照明装置（１０）を備えている。照明装置は、光源部を覆う光透過性のカバー部材を有し、光源部が壁面に近接した消灯状態においてカバー部材を壁面に向かって押すことにより光源部が壁面から前方へ突出する。【選択図】  図１
2005052167.tif 000002
【特許請求の範囲】
【請求項１】
カウンターの後方の壁面に設けられ、不要時には光源部が前記壁面に近接して消灯状態となり、使用時には前記光源部を押すことによって該光源部を前記壁面から前方へ突出させて点灯状態となる照明装置を備えていることを特徴とするシステムキッチン。
【請求項２】
前記照明装置は、前記光源部を覆う光透過性のカバー部材を有し、前記光源部が前記壁面に近接した消灯状態において前記カバー部材を前記壁面に向かって押すことにより前記光源部が前記壁面から前方へ突出することを特徴とする請求項１に記載のシステムキッチン。
【請求項３】
前記光源部は、ほぼ水平に延びた蛍光灯を有し、前記点灯状態において前記蛍光灯は前記カウンターを照明することを特徴とする請求項１または２に記載のシステムキッチン。
【請求項４】
前記光源部は、ほぼ水平に延びるように上下に配置された一対の蛍光灯を有し、前記点灯状態において下側の蛍光灯は前記カウンターを照明し上側の蛍光灯は吊り戸棚を照明することを特徴とする請求項１乃至３のいずれか１項に記載のシステムキッチン。
【請求項５】
前記照明装置は、ほぼ水平方向に沿って複数設けられていることを特徴とする請求項１乃至４のいずれか１項に記載のシステムキッチン。
【発明の詳細な説明】
【０００１】
【発明の属する技術分野】
本発明は、システムキッチンに関し、特にシステムキッチンにおける照明に関するものである。
【０００２】
【従来の技術】
従来、システムキッチンでは、調理作業などに必要な照度（明るさ）を確保するために、随時点灯可能な照明装置が適当な位置に常設されている（たとえば、特許文献１および特許文献２を参照）。ＪＩＳで指定された参考値によれば、調理に必要な照度は３００Ｌｘ程度である。ちなみに、読書に必要な照度は７００Ｌｘ程度であり、掃除に必要な照度は４００Ｌｘ程度である。
【０００３】
【特許文献１】
実開昭６３−４２２４４号公報
【特許文献２】
実開平１−１５５８４４号公報
【０００４】
【発明が解決しようとする課題】
本出願人の調査結果によれば、従来の平均的なシステムキッチンにおいて天井に取り付けられた照明などの環境光がない場合、キッチンに取り付けられた照明の直下などのかなり狭い特定領域においてのみ３００Ｌｘ以上の照度が確保されるに過ぎない。また、天井からの環境光やリビングルーム側からの環境光がある場合、３００Ｌｘ以上の照度が確保される領域はある程度広がるが、必ずしもカウンター上の作業面の全体に亘って３００Ｌｘ以上の照度が確保されるわけではない。
【０００５】
一般に、キッチンでは、包丁を用いた細かい調理や、食材のチェックや、小さな文字で書かれたレシピの確認（たとえば読書に類似する作業）や、調理後の清掃（たとえば掃除に類似する作業）などを、様々なタイミングで様々な位置において行う必要がある。上述のＪＩＳ指定の照度参考値および本出願人の調査結果を参照すると、従来のシステムキッチンでは、必要なときに、必要な位置に、必要な照度を確保することができなかった。
【０００６】
本発明は、前述の課題に鑑みてなされたものであり、必要なときに、必要な位置に、必要な照度を確保することのできる照明装置を備えたシステムキッチンを提供することを目的とする。
【０００７】
【課題を解決するための手段】
前記課題を解決するために、本発明では、カウンターの後方の壁面に設けられ、不要時には光源部が前記壁面に近接して消灯状態となり、使用時には前記光源部を押すことによって該光源部を前記壁面から前方へ突出させて点灯状態となる照明装置を備えていることを特徴とするシステムキッチンを提供する。また、本発明では、カウンターの後方の壁面に設けられ、光源部が前記壁面に近接した消灯状態と、前記光源部が前記壁面から前方へ突出した点灯状態との間で切り換え可能な照明装置を備えていることを特徴とするシステムキッチンを提供する。
【０００８】
本発明の好ましい態様によれば、前記照明装置は、前記光源部を覆う光透過性のカバー部材を有し、前記光源部が前記壁面に近接した消灯状態において前記カバー部材を前記壁面に向かって押すことにより前記光源部が前記壁面から前方へ突出する。また、前記光源部は、ほぼ水平に延びた蛍光灯を有し、前記点灯状態において前記蛍光灯は前記カウンターを照明することが好ましい。
【０００９】
また、本発明の好ましい別の態様によれば、前記光源部は、ほぼ水平に延びるように上下に配置された一対の蛍光灯を有し、前記点灯状態において下側の蛍光灯は前記カウンターを照明し上側の蛍光灯は吊り戸棚を照明する。また、前記照明装置は、ほぼ水平方向に沿って複数設けられていることが好ましい。
【００１０】
【発明の実施の形態】
本発明のシステムキッチンは、カウンターの後方の壁面に設けられ、光源部が壁面に近接した消灯状態と、光源部が壁面から前方へ突出した点灯状態との間で切り換え可能な照明装置を備えている。したがって、例えばほぼ水平方向に沿って複数設けられた照明装置のうち、所望位置の照明装置の光源部を壁面から前方へ突出させて適時点灯させることにより、必要なときに、必要な位置に、必要な照度を確保することができる。
【００１１】
なお、本発明の照明装置は、光源部を覆う光透過性のカバー部材を有し、光源部が壁面に近接した消灯状態においてカバー部材を壁面に向かって押すことにより光源部が壁面から前方へ突出することが好ましい。この構成では、カバー部材を壁面に向かって押すという比較的単純な操作により、消灯状態から点灯状態への切り換えを、ひいては消灯状態と点灯状態との間の切り換えを実現することができる。
【００１２】
また、本発明では、光源部がほぼ水平に延びた蛍光灯を有し、点灯状態において蛍光灯がカウンターを照明することが好ましい。この構成により、必要なときに、作業をする機会が最も多いカウンター上の必要な位置に、必要な照度を確保することができる。
【００１３】
また、本発明では、光源部がほぼ水平に延びるように上下に配置された一対の蛍光灯を有し、点灯状態において下側の蛍光灯がカウンターを照明し上側の蛍光灯が吊り戸棚を照明することが好ましい。この構成では、特に昇降型の吊り戸棚を用いるときに、降下させようとしている吊り戸棚に対応する位置の照明装置を予め点灯させることにより、降下した吊り戸棚の収納物を十分な照度で照明することができる。この場合、降下部分の背板などを光透過性の材料で形成することが好ましい。
【００１４】
本発明の実施形態を、添付図面に基づいて説明する。
図１は、本発明の実施形態にかかるシステムキッチンの全体構成を概略的に示す斜視図である。また、図２は、本実施形態にかかる照明装置の全体構成および動作を概略的に示す図である。また、図３は、本実施形態にかかる照明装置の要部構成を概略的に示す図である。
【００１５】
図１を参照すると、本実施形態にかかるシステムキッチン１は、床（不図示）の上に載置されたベースキャビネット２を備えている。ベースキャビネット２の上部には、システムキッチン１に向かって左側から、たとえばＩＨのような加熱調理器３と、シンク４とが設けられている。また、シンク４に隣接して、たとえば湯水混合型の水栓５が設けられている。
【００１６】
なお、加熱調理器３の上方には、レンジフード６が設けられている。そして、シンク４の上方には、レンジフード６に隣接してシステムキッチン１の一端まで延びるように昇降型の吊り戸棚７が設けられている。さらに、本実施形態にかかるシステムキッチン１では、カウンター８の後方の壁面９に、ほぼ水平方向に沿って複数（図１では例示的に４つ）の照明装置１０が設けられている。
【００１７】
照明装置１０は、後述するように、光源部が壁面９に近接した消灯状態と、光源部が壁面９から前方へ突出した点灯状態との間で切り換え可能な照明装置である。複数の照明装置１０は、バックガード１１の上端から所定の高さ位置、たとえばバックガード１１の上端と昇降型の吊り戸棚７の下端とのほぼ中間の高さ位置において互いに隣接するように配置されている。
【００１８】
照明装置１０は、図３に詳細を示すように、インバーター１０ａと、このインバーター１０ａを挟んでほぼ水平に延びるように上下に配置された一対の蛍光灯（例えばスリム管蛍光灯）１０ｂａおよび１０ｂｂと、光源部としての一対の蛍光灯１０ｂａおよび１０ｂｂを覆う光透過性の（たとえばアクリル製の）カバー部材１０ｃとを備えている。照明装置１０は、取付け部材１０ｄを介して、壁面９を構成する壁パネル９ａに取り付けられている。
【００１９】
ここで、インバーター１０ａは、一対の蛍光灯１０ｂａおよび１０ｂｂによる照明に関し、高効率、高出力、即時点灯、照明ちらつきの回避などに寄与する。
照明装置１０は、光源部（１０ｂａ，１０ｂｂ）が壁面９に近接した消灯状態においてカバー部材１０ｃを壁面９に向かって押すことにより光源部（１０ｂａ，１０ｂｂ）が壁面９から前方へ突出するように構成されている。また、カバー部材１０ｃは、蛍光灯１０ｂａおよび１０ｂｂの交換のために、取付け部材１０ｄに対して着脱自在に構成されている。
【００２０】
本実施形態の照明装置１０は、初期的には、図２（ａ）に示すように、光源部（１０ｂａ，１０ｂｂ：図２では不図示）が壁面９に近接した消灯状態にある。照明装置１０による照明が必要になった場合、図２（ａ）に示すように、カバー部材１０ｃの前方面を壁面９に向かって軽く押す。その結果、カバー部材１０ｃの前方面を壁面９に向かって軽く押す動作に応答して、図２（ｂ）に示すように、光源部（１０ｂａ，１０ｂｂ）が壁面９から前方へ突出し、照明装置１０が消灯状態から点灯状態へ切り換わる。
【００２１】
図２（ｂ）に示す点灯状態では、下側の蛍光灯１０ｂａが主にカウンター（加熱調理器３、シンク４などを含む広い概念）８を照明し、上側の蛍光灯１０ｂｂは主に昇降型吊り戸棚７を照明する。ただし、加熱調理器３とレンジフード６との間に設けられた照明装置１０の場合、上側の蛍光灯１０ｂｂはレンジフード６の排気口を照明することになる。なお、点灯状態においてカバー部材１０ｃの前方面を壁面９に向かって軽く押すことにより、光源部（１０ｂａ，１０ｂｂ）が壁面９に再び近接して照明装置１０が消灯状態へ切り換わることは言うまでもない。また、照明装置１０は、例えばキッチンルームの入口近傍に設けられた主電源またはキッチン本体に組み込まれた主電源に接続され、この主電源のスイッチをオフにすることにより照明装置１０への通電を止めることもできる。
【００２２】
以上のように、本実施形態のシステムキッチン１は、カウンター８の後方の壁面９に設けられ、光源部（１０ｂａ，１０ｂｂ）が壁面９に近接した消灯状態と、光源部（１０ｂａ，１０ｂｂ）が壁面９から前方へ突出した点灯状態との間で切り換え可能な複数の照明装置１０を備えている。したがって、ほぼ水平方向に沿って複数設けられた照明装置１０のうち、所望位置の照明装置１０の光源部（１０ｂａ，１０ｂｂ）を壁面９から前方へ突出させて適時点灯させることにより、必要なときに、必要な位置に、必要な照度を確保することができる。
【００２３】
また、本実施形態の照明装置１０は、光源部（１０ｂａ，１０ｂｂ）を覆う光透過性のカバー部材１０ｃを有し、光源部（１０ｂａ，１０ｂｂ）が壁面９に近接した消灯状態においてカバー部材１０ｃを壁面９に向かって押すことにより光源部（１０ｂａ，１０ｂｂ）が壁面９から前方へ突出するように構成されている。こうして、カバー部材１０ｃを壁面９に向かって押すという比較的単純な操作により、消灯状態から点灯状態への切り換えを、ひいては消灯状態と点灯状態との間の切り換えを実現することができる。この場合、カバー部材１０ｃの前方面は比較的広いので、指が汚れているときには手の甲などを使って点灯または消灯させることができ、非常に便利である。
【００２４】
また、本実施形態では、光源部がほぼ水平に延びるように上下に配置された一対の蛍光灯１０ｂａおよび１０ｂｂを有し、点灯状態において下側の蛍光灯１０ｂａが作業をする機会の最も多いカウンター８を主に照明し、上側の蛍光灯１０ｂｂが主に昇降型の吊り戸棚７を照明する。したがって、降下させようとしている吊り戸棚７に対応する位置の照明装置１０を予め点灯させることにより、降下した吊り戸棚７の収納物を十分な照度で照明することができる。
【００２５】
なお、上述の実施形態では、光源部がほぼ水平に延びるように上下に配置された一対の蛍光灯１０ｂａおよび１０ｂｂを有する。しかしながら、これに限定されることなく、ほぼ水平に延びた１本の蛍光灯により光源部を構成することもできる。この場合、点灯状態において１本の蛍光灯は主にカウンターを照明することになる。
【００２６】
また、上述の実施形態では、光源として、たとえばスリム管蛍光灯を用いた例を示している。しかしながら、これに限定されることなく、たとえば照明装置の厚さを抑えるために、光源部として冷陰極蛍光灯などを用いることもでき、光源部の具体的な構成については様々な変形例が可能である。
【００２７】
また、上述の実施形態では、システムキッチンの横方向のほぼ全体に亘って４つの照明装置を配置した例を示している。しかしながら、これに限定されることなく、照明装置の数および配置については様々な変形例が可能である。
【００２８】
【発明の効果】
以上説明したように、本発明のシステムキッチンは、カウンターの後方の壁面に設けられ、光源部が壁面に近接した消灯状態と、光源部が壁面から前方へ突出した点灯状態との間で切り換え可能な照明装置を備えている。その結果、例えばほぼ水平方向に沿って複数設けられた照明装置のうち、所望位置の照明装置の光源部を壁面から前方へ突出させて適時点灯させることにより、必要なときに、必要な位置に、必要な照度を確保することができる。
【００２９】
また、本発明の照明装置では、光源部を覆う光透過性のカバー部材を有し、光源部が壁面に近接した消灯状態においてカバー部材を壁面に向かって押すことにより光源部が壁面から前方へ突出するように構成すると、カバー部材を壁面に向かって押すという比較的単純な操作により、消灯状態から点灯状態への切り換えを、ひいては消灯状態と点灯状態との間の切り換えを実現することができる。
【００３０】
また、本発明では、光源部がほぼ水平に延びるように上下に配置された一対の蛍光灯を有し、点灯状態において下側の蛍光灯がカウンターを照明し上側の蛍光灯が吊り戸棚を照明する構成を採用すると、特に昇降型の吊り戸棚を用いるときに、降下させようとしている吊り戸棚に対応する位置の照明装置を予め点灯させることにより、降下した吊り戸棚の収納物を十分な照度で照明することができる。
【図面の簡単な説明】
【図１】本発明の実施形態にかかるシステムキッチンの全体構成を概略的に示す斜視図である。
【図２】本実施形態にかかる照明装置の全体構成および動作を概略的に示す図である。
【図３】本実施形態にかかる照明装置の要部構成を概略的に示す図である。
【符号の説明】
１  システムキッチン
２  ベースキャビネット
３  加熱調理器（ＩＨ）
４  シンク
５  水栓
６  レンジフード
７  昇降型吊り戸棚
８  カウンター
９  壁面
９ａ  壁パネル
１０  照明装置
１０ａ  インバーター
１０ｂａ，１０ｂｂ  蛍光灯
１０ｃ  カバー部材
１１  バックガード
【図１】
2005052167.tif 000003
【図２】
2005052167.tif 000004
【図３】
2005052167.tif 000005